(57)【要約】【課題】ユーザーにとっての操作性を向上させるスイッチ装置及び電子機器を提供する。【解決手段】リモコン１において、動画スイッチＳＷ１と静止画スイッチＳＷ２とを備え、動画スイッチＳＷ１の第１のキートップ２１ａと静止画スイッチＳＷ２の第２のキートップ２１ｂとの面積を異ならせる一方で動画スイッチＳＷ１及び静止画スイッチＳＷ２の操作荷重が同一となるように動画スイッチＳＷ１及び静止画スイッチＳＷ２の面積と肉厚とが調整されている。【選択図】図２
2019057448.tif 000002
【特許請求の範囲】
【請求項１】
複数のプッシュスイッチを備え、
各プッシュスイッチの押下操作部の面積を異ならせる一方で各プッシュスイッチの操作荷重が同一となるように各プッシュスイッチの面積と肉厚とが調整されていることを特徴とするスイッチ装置。
【請求項２】
前記各プッシュスイッチの押下操作部の形状をさらに異ならせることを特徴とする請求項１に記載のスイッチ装置。
【請求項３】
前記各プッシュスイッチの押下操作部は、ゴム状弾性体により形成されており、
前記押下操作部の厚みをそれぞれ異ならせることにより、前記各プッシュスイッチの操作荷重が同一となるようにすることを特徴とする請求項１又は２に記載のスイッチ装置。
【請求項４】
前記各プッシュスイッチが配設される領域を仕切るための仕切り部を備え、
前記仕切り部は、前記領域の開口面積がそれぞれ同一となるように設けられることを特徴とする請求項１〜３のいずれか一項に記載のスイッチ装置。
【請求項５】
前記各プッシュスイッチの押下操作部を備える外装カバーと、
前記外装カバーの内側に設けられ、前記各プッシュスイッチの押下操作部の裏面に設けられる押し子と前記仕切り部とを備えるカバーフレームと、を備え、
前記カバーフレームは、前記外装カバーよりも剛性の高い部材で構成されており、
前記外装カバーと前記カバーフレームとは、二色成形されていることを特徴とする請求項４に記載のスイッチ装置。
【請求項６】
前記各プッシュスイッチの押下操作部は、それぞれ同一平面上に設けられることを特徴とする請求項１〜５のいずれか一項に記載のスイッチ装置。
【請求項７】
前記複数のプッシュスイッチとは異なる他のプッシュスイッチをさらに備え、
前記他のプッシュスイッチは、前記複数のプッシュスイッチに比べて操作荷重が大きくなるように設けられていることを特徴とする請求項１〜６のいずれか一項に記載のスイッチ装置。
【請求項８】
複数のプッシュスイッチを備え、
各プッシュスイッチの押下操作部の形状を異ならせる一方で面積を同一とすることで各プッシュスイッチの操作荷重を同一にすることを特徴とするスイッチ装置。
【請求項９】
複数のプッシュスイッチを備える電子機器であって、
各プッシュスイッチの押下操作部の面積を異ならせる一方で各プッシュスイッチの操作荷重が同一となるように各プッシュスイッチの面積と肉厚とが調整され、
前記複数のプッシュスイッチのうちの少なくとも２つのプッシュスイッチが同時に押下操作された場合、当該プッシュスイッチの押下操作を無効にすることを特徴とする電子機器。
【発明の詳細な説明】
【技術分野】
【０００１】
本発明は、スイッチ装置及び電子機器に関する。
【背景技術】
【０００２】
従来、防水構造を備えた携帯電子機器用入力装置が知られている（例えば、特許文献１参照）。この携帯電子機器用入力装置は、複数のスイッチと、押下操作される操作部材と、操作部材の押下操作に応じてスイッチの中心部分を押圧する押し子と、で構成されている。
【先行技術文献】
【特許文献】
【０００３】
【特許文献１】特開２０００-１５１７７２号公報
【発明の概要】
【発明が解決しようとする課題】
【０００４】
しかしながら、上記特許文献１に開示されているような複数のスイッチは、各スイッチの面積が異なるために各スイッチを押すための操作ストロークも異なることが知られており、ユーザーにとって操作しにくいものとなってしまう場合があった。
【０００５】
本発明は、このような問題に鑑みてなされたものであり、ユーザーにとっての操作性を向上させるスイッチ装置及び電子機器を提供することを目的とする。
【課題を解決するための手段】
【０００６】
上記課題を解決するため、本発明のスイッチ装置は、
複数のプッシュスイッチを備え、
各プッシュスイッチの押下操作部の面積を異ならせる一方で各プッシュスイッチの操作荷重が同一となるように各プッシュスイッチの面積と肉厚とが調整されていることを特徴とする。
【発明の効果】
【０００７】
本発明によれば、ユーザーにとっての操作性を向上させることができる。
【図面の簡単な説明】
【０００８】
【図１】本発明を適用したスイッチ装置（電子機器）の一実施形態であるリモートコントローラを示す斜視図である。
【図２】図１の矢視Ａ方向から見た断面図である。
【発明を実施するための形態】
【０００９】
以下に、本発明について、図面を用いて具体的な態様を説明する。ただし、発明の範囲は、図示例に限定されない。
【００１０】
図１は、本発明を適用したスイッチ装置（電子機器）の一実施形態であるリモートコントローラ（以下、リモコンと称す）１を示す斜視図である。リモコン１は、アウトドアやエクストリームスポーツと呼ばれる過激な動きのあるスポーツ（例えば、サーフィンなど）が行われる環境で使用されることを目的として設計・製造された所謂アクションカメラ（図示省略）を遠隔操作するためのものである。
【００１１】
図１に示すように、リモコン１は、一対の脚部１１，１１を有するベース部１０と、カバー部２０と、を備えている。
【００１２】
ベース部１０は、基板Ｃ（図２参照）などの電子部品を配設する基部である。
【００１３】
カバー部２０は、ベース部１０の上面を覆い塞ぐための部品である。カバー部２０は、上述したアクションカメラによる動画撮影機能をＯＮ／ＯＦＦ操作するための動画スイッチＳＷ１及び静止画撮影機能をＯＮ／ＯＦＦ操作するための静止画スイッチＳＷ２（複数のプッシュスイッチ）、並びに、アクションカメラの電源をＯＮ／ＯＦＦ操作するための電源スイッチＳＷ３（他のプッシュスイッチ）を同一平面上に備えている。ここで、リモコン１では、動画スイッチＳＷ１と静止画スイッチＳＷ２とが同時に押下操作された場合、動画撮影機能のＯＮ／ＯＦＦ操作及び静止画撮影機能のＯＮ／ＯＦＦ操作を無効とする制御が行われるようになっている。
【００１４】
次に、動画スイッチＳＷ１、静止画スイッチＳＷ２及び電源スイッチＳＷ３を備えるカバー部２０の構造について、図２を用いて説明する。図２は、図１のリモコン１を矢視Ａ方向から見た断面図である。なお、図２では、カバー部２０及び基板Ｃについてハッチングを施す一方で、ベース部１０等についてのハッチングを省略している。
【００１５】
図２に示すように、カバー部２０は、外装カバー２１と、外装カバー２１の内側に設けられるカバーフレーム２２と、を備えている。
【００１６】
外装カバー２１は、ゴム状弾性体（例えば、熱可塑性ポリウレタン等）により形成されている。外装カバー２１には、動画スイッチＳＷ１を構成する第１のキートップ２１ａ（押下操作部）と、静止画スイッチＳＷ２を構成する第２のキートップ２１ｂ（押下操作部）と、電源スイッチＳＷ３を構成する第３のキートップ２１ｃと、が一体となって形成されている。
【００１７】
図１に示すように、第１のキートップ２１ａは正方形状をなし、第２のキートップ２１ｂは長方形状をなし、第３のキートップ２１ｃは台形状をなしている。また、第１のキートップ２１ａ、第２のキートップ２１ｂ及び第３のキートップ２１ｃは、第１のキートップ２１ａの面積が一番大きく、その次に、第２のキートップ２１ｂの面積が大きく、第３のキートップ２１ｃの面積が一番小さくなるように形成されている。第１のキートップ２１ａ、第２のキートップ２１ｂ及び第３のキートップ２１ｃがそれぞれ上記のように形成されているのは、リモコン１を見ないブラインドでの操作がなされた際に、各スイッチの押し間違えを防止するためである。
【００１８】
また、動画スイッチＳＷ１と静止画スイッチＳＷ２とのそれぞれを押下操作する際の操作荷重が同一となるように、第１のキートップ２１ａ及び第２のキートップ２１ｂは、図２に示すように、第１のキートップ２１ａの肉厚が第２のキートップ２１ｂの肉厚よりも大きくなるように調整されている。また、電源スイッチＳＷ３を押下操作する際の操作荷重が動画スイッチＳＷ１や静止画スイッチＳＷ２を押下操作する際の操作荷重よりも大きくなるように、第３のキートップ２１ｃの肉厚が調整されている。電源スイッチＳＷ３の操作荷重を動画スイッチＳＷ１や静止画スイッチＳＷ２の操作荷重よりも大きくしているのは、リモコン１を見ないブラインドでの操作がなされた際に、電源スイッチＳＷ３が誤って押されてしまうことを抑制するためである。
【００１９】
カバーフレーム２２は、外装カバー２１よりも剛性の高い部材（例えば、ボリカーボネート材等）により形成されており、第１のキートップ２１ａの裏面に設けられる第１の押し子２２ａと、第２のキートップ２１ｂの裏面に設けられる第２の押し子２２ｂと、第３のキートップ２１ｃの裏面に設けられる第３の押し子２２ｃと、を備えている。各押し子２２ａ，２２ｂ，２２ｃを外装カバー２１よりも剛性の高い部材で形成しているのは、動画スイッチＳＷ１、静止画スイッチＳＷ２及び電源スイッチＳＷ３をそれぞれ押下操作する際の操作性を向上させるためである。
【００２０】
また、カバーフレーム２２は、動画スイッチＳＷ１、静止画スイッチＳＷ２及び電源スイッチＳＷ３がそれぞれ配設される領域を仕切るための仕切り部２２ｄを備えている。また、カバーフレーム２２は、リモコン１の防水性を向上させるため、二色成形（ダブルモールド）によって、外装カバー２１と組み合わせて一体に成形されている。
【００２１】
図２に示すように、仕切り部２２ｄによって仕切られることにより形成される動画スイッチＳＷ１が配設される領域Ｒ１の開口部の形状と静止画スイッチＳＷ２が配設される領域Ｒ２の開口部の形状はいずれも１辺の長さＬの正方形状をなし、それぞれの開口面積が同一となっている。領域Ｒ１及び領域Ｒ２の開口面積を同一としているのは、各領域に配設される動画スイッチＳＷ１と静止画スイッチＳＷ２とのそれぞれの操作荷重を揃えるためである。ただし、上述したように動画スイッチＳＷの第１のキートップ２１ａと静止画スイッチＳＷ２の第２のキートップ２１ｂとでは、第２のキートップ２１ｂよりも第１のキートップ２１ａの方の面積が大きく、それぞれの操作荷重が異なっているため、第２のキートップ２１ｂよりも第１のキートップ２１ａの方の肉厚を大きくすることにより、それぞれの操作荷重が揃うように調整を行っている。
【００２２】
以上のように、本実施形態のリモコン１は、動画スイッチＳＷ１の第１のキートップ２１ａと静止画スイッチＳＷ２の第２のキートップ２１ｂとの面積を異ならせる一方で動画スイッチＳＷ１及び静止画スイッチＳＷ２の操作荷重が同一となるように動画スイッチＳＷ１及び静止画スイッチＳＷ２の面積と肉厚とが調整されているので、各スイッチを押下操作したときの違和感が無く、ユーザーにとっての操作性を向上させることができる。
【００２３】
また、本実施形態のリモコン１は、動画スイッチＳＷ１の第１のキートップ２１ａと静止画スイッチＳＷ２の第２のキートップ２１ｂとの形状をさらに異ならせているので、リモコン１を見ないブラインドでの操作がなされた際に、各スイッチの押し間違えを防止することができ、リモコン１の操作性を向上させることできる。
【００２４】
また、本実施形態のリモコン１は、動画スイッチＳＷ１の第１のキートップ２１ａと静止画スイッチＳＷ２の第２のキートップ２１ｂは、ゴム状弾性体（例えば、熱可塑性ポリウレタン等）により形成されており、第１のキートップ２１ａと第２のキートップ２１ｂの厚みをそれぞれ異ならせることにより、動画スイッチＳＷ１及び静止画スイッチＳＷ２の操作荷重が同一となるようにしている。このため、複雑な機構を用いることなく動画スイッチＳＷ１及び静止画スイッチＳＷ２の操作荷重を同一にすることができるので、リモコン１の部品点数の増加を防止するとともに組立性を向上させ、さらに、小型化を実現することができる。
【００２５】
また、本実施形態のリモコン１は、動画スイッチＳＷ１が配設される領域Ｒ１と静止画スイッチＳＷ２が配設される領域Ｒ２を仕切るための仕切り部２２ｄを備え、仕切り部２２ｄは、領域Ｒ１と領域Ｒ２の開口面積がそれぞれ同一となるように設けられているので、各領域に配設される動画スイッチＳＷ１と静止画スイッチＳＷ２とのそれぞれの操作荷重を揃え易くすることができる。
【００２６】
また、本実施形態のリモコン１は、第１のキートップ２１ａと第２のキートップ２１ｂを備える外装カバー２１と、外装カバー２１の内側に設けられ、第１のキートップ２１ａの裏面に設けられる第１の押し子２２ａ、及び、第２のキートップ２１ｂの裏面に設けられる第２の押し子２２ｂ、並びに、仕切り部２２ｄを備えるカバーフレーム２２と、を備え、カバーフレーム２２は、外装カバー２１よりも剛性の高い部材（例えば、ボリカーボネート材等）で構成され、外装カバー２１とカバーフレーム２２とは、二色成形されたこととなる。このため、第１の押し子２２ａと第２の押し子２２ｂを外装カバー２１よりも剛性の高い部材で構成することにより、動画スイッチＳＷ１及び静止画スイッチＳＷ２の操作性を向上させることができ、また、外装カバー２１とカバーフレーム２２とが二色成形されることにより、リモコン１の防水性を向上させることができる。
【００２７】
また、本実施形態のリモコン１は、動画スイッチＳＷ１の第１のキートップ２１ａと静止画スイッチＳＷ２の第２のキートップ２１ｂとがそれぞれ同一平面上に設けられているので、例えば、リモコン１を水上で使用し波を受けた際に、動画スイッチＳＷ１と静止画スイッチＳＷ２とが同時に押下操作され易くすることができる。これにより、リモコン１が波を受けた際に、動画スイッチＳＷ１及び静止画スイッチＳＷ２の押下操作が無効とされ易くなるので、リモコン１が波を受け動画スイッチＳＷ１及び静止画スイッチＳＷ２が押下操作されたことによる誤作動を好適に防止することができる。
【００２８】
また、本実施形態のリモコン１は、動画スイッチＳＷ１及び静止画スイッチＳＷ２とは異なる電源スイッチＳＷ３をさらに備え、電源スイッチＳＷ３は、動画スイッチＳＷ１及び静止画スイッチＳＷ２に比べて操作荷重が大きくなるように設けられているので、リモコン１を見ないブラインドでの操作がなされた際に、電源スイッチＳＷ３が誤って押されてしまうことを抑制することができる。
【００２９】
また、本実施形態のリモコン１は、動画スイッチＳＷ１の第１のキートップ２１ａと静止画スイッチＳＷ２の第２のキートップ２１ｂとの面積を異ならせる一方で動画スイッチＳＷ１及び静止画スイッチＳＷ２の操作荷重が同一となるように動画スイッチＳＷ１及び静止画スイッチＳＷ２の面積と肉厚とが調整され、動画スイッチＳＷ１と静止画スイッチＳＷ２とが同時に押下操作された場合、動画スイッチＳＷ１及び静止画スイッチＳＷ２の押下操作を無効にしたこととなる。このため、リモコン１を例えば水上で使用した際に、動画スイッチＳＷ１と静止画スイッチＳＷ２とに波が当たり、動画スイッチＳＷ１と静止画スイッチＳＷ２とが同時に押下操作された場合や、リモコン１を例えば水中で使用した際に、動画スイッチＳＷ１と静止画スイッチＳＷ２とに水圧がかかり、動画スイッチＳＷ１と静止画スイッチＳＷ２とが同時に押下操作された場合、動画スイッチＳＷ１及び静止画スイッチＳＷ２の押下操作が無効とされるので、動画スイッチＳＷ１及び静止画スイッチＳＷ２が押下操作されたことによる誤作動を防止することができる。
【００３０】
なお、本発明は、上記実施形態に限定されることなく、本発明の趣旨を逸脱しない範囲において、種々の改良並びに設計の変更を行っても良い。
例えば、上記実施形態にあっては、複数のプッシュスイッチとして動画スイッチＳＷ１と静止画スイッチＳＷ２の２つのプッシュスイッチをリモコン１が備える場合を例示したが、当該プッシュスイッチを３つ以上備えるようにしても良い。
【００３１】
また、上記実施形態にあっては、仕切り部２２ｄにより仕切られる領域１と領域２のそれぞれの開口面積が同一となるようにしたが、当該開口面積を必ず同一とする必要はなく、領域１と領域２のそれぞれの開口面積は、例えば、各領域に配設されるプッシュスイッチの形状に対応する開口面積とするようにしても良い。
【００３２】
また、上記実施形態にあっては、動画スイッチＳＷ１と静止画スイッチＳＷ２とをリモコン１の同一平面上に設けるようにしたが、例えば、リモコン１を水中で使用するような場合には、動画スイッチＳＷ１と静止画スイッチＳＷ２とを必ず同一平面上に設ける必要はない。
【００３３】
また、上記実施形態にあっては、動画スイッチＳＷ１の第１のキートップ２１ａと静止画スイッチＳＷ２の第２のキートップ２１ｂとの面積及び形状を異ならせるようにしているが、動画スイッチＳＷ１及び静止画スイッチＳＷ２の操作荷重が同一となっていればよく、例えば、動画スイッチＳＷ１の第１のキートップ２１ａと静止画スイッチＳＷ２の第２のキートップ２１ｂとの面積は同一で形状を異ならせるようにしてもよい。
【００３４】
以上、本発明の実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
複数のプッシュスイッチを備え、
各プッシュスイッチの押下操作部の面積を異ならせる一方で各プッシュスイッチの操作荷重が同一となるように各プッシュスイッチの面積と肉厚とが調整されていることを特徴とするスイッチ装置。
＜請求項２＞
前記各プッシュスイッチの押下操作部の形状をさらに異ならせることを特徴とする請求項１に記載のスイッチ装置。
＜請求項３＞
前記各プッシュスイッチの押下操作部は、ゴム状弾性体により形成されており、
前記押下操作部の厚みをそれぞれ異ならせることにより、前記各プッシュスイッチの操作荷重が同一となるようにすることを特徴とする請求項１又は２に記載のスイッチ装置。
＜請求項４＞
前記各プッシュスイッチが配設される領域を仕切るための仕切り部を備え、
前記仕切り部は、前記領域の開口面積がそれぞれ同一となるように設けられることを特徴とする請求項１〜３のいずれか一項に記載のスイッチ装置。
＜請求項５＞
前記各プッシュスイッチの押下操作部を備える外装カバーと、
前記外装カバーの内側に設けられ、前記各プッシュスイッチの押下操作部の裏面に設けられる押し子と前記仕切り部とを備えるカバーフレームと、を備え、
前記カバーフレームは、前記外装カバーよりも剛性の高い部材で構成されており、
前記外装カバーと前記カバーフレームとは、二色成形されていることを特徴とする請求項４に記載のスイッチ装置。
＜請求項６＞
前記各プッシュスイッチの押下操作部は、それぞれ同一平面上に設けられることを特徴とする請求項１〜５のいずれか一項に記載のスイッチ装置。
＜請求項７＞
前記複数のプッシュスイッチとは異なる他のプッシュスイッチをさらに備え、
前記他のプッシュスイッチは、前記複数のプッシュスイッチに比べて操作荷重が大きくなるように設けられていることを特徴とする請求項１〜６のいずれか一項に記載のスイッチ装置。
＜請求項８＞
複数のプッシュスイッチを備え、
各プッシュスイッチの押下操作部の形状を異ならせる一方で面積を同一とすることで各プッシュスイッチの操作荷重を同一にすることを特徴とするスイッチ装置。
＜請求項９＞
複数のプッシュスイッチを備える電子機器であって、
各プッシュスイッチの押下操作部の面積を異ならせる一方で各プッシュスイッチの操作荷重が同一となるように各プッシュスイッチの面積と肉厚とが調整され、
前記複数のプッシュスイッチのうちの少なくとも２つのプッシュスイッチが同時に押下操作された場合、当該プッシュスイッチの押下操作を無効にすることを特徴とする電子機器。
【符号の説明】
【００３５】
１  リモコン
１０  ベース部
１１  脚部
２０  カバー部
２１  外装カバー
２１ａ  第１のキートップ
２１ｂ  第２のキートップ
２１ｃ  第３のキートップ
２２  カバーフレーム
２２ａ  第１の押し子
２２ｂ  第２の押し子
２２ｃ  第３の押し子
２２ｄ  仕切り部
ＳＷ１  動画スイッチ
ＳＷ２  静止画スイッチ
ＳＷ３  電源スイッチ
【図１】
2019057448.tif 000003
【図２】
2019057448.tif 000004